(57)【特許請求の範囲】
【請求項１】
上段の金属屋根材（２）の軒側端部と下段の金属屋根材（２）の棟側端部とを上下に重合させて、多数の金属屋根材（２）を野地板上に配置するようにした金属屋根材の設置構造において、
金属屋根材（２）の棟側端部に、上側に折り返された棟側重合片（１７）が設けられると共に、金属屋根材（２）の軒側端部に、軒棟側に突出した軒側重合片（２３）が設けられ、上段の金属屋根材（２）の軒側重合片（２３）と下段の金属屋根材（２）の棟側重合片（１７）とが、軒側重合片（２３）を上にし棟側重合片（１７）を下にして上下に重合され、その重合された軒側重合片（２３）と棟側重合片（１７）とを上下に挟持する結合部材（６１）が、軒側重合片（２３）と棟側重合片（１７）との先端間を軒側から塞ぐように設けられていることを特徴とする金属屋根材の設置構造。
【請求項２】
前記金属屋根材（２）の軒側端部に、下側に折り返された折り返し片（２２）が棟側に突出するように設けられると共に、該折り返し片（２２）の先端側に、前記軒側重合片（２３）が軒側に突出するように、下側に折り返して形成されていることを特徴とする請求項１に記載の金属屋根材の設置構造。
【請求項３】
前記結合部材（６１）は上挟持片（６２）と下挟持片（６３）とこれら挟持片（６２）（６３）を連結する連結部（６４）とをコの字状又はＵ字状に有し、結合部材（６１）の上挟持片（６２）が上段側の金属屋根材（２）の軒側重合片（２３）の上面に配置され、結合部材（６１）の下挟持片（６３）が下段側の金属屋根材（２）の棟側重合片（１７）の下面に配置され、結合部材（６１）の連結部（６４）が重合された軒側重合片（２３）と棟側重合片（１７）との先端間を軒側から塞いでいることを特徴とする請求項１又は２に記載の金属屋根材の設置構造。
【請求項４】
金属屋根材（２）と該金属屋根材（２）にその上面に添うように載置固定された太陽電池（４）と金属屋根材（２）の踏み強度や断熱性を保つためのベース（３）とを備える屋根材モジュール（１）が構成され、上段の金属屋根材（２）の軒側端部と下段の金属屋根材（２）の棟側端部とを上下に重合させるように、多数の屋根材モジュール（１）を野地板上に配置するようにしたことを特徴とする金属屋根材の設置構造。
【請求項５】
上段の金属屋根材（２）の軒側端部と下段の金属屋根材（２）の棟側端部とを上下に重合させて、多数の金属屋根材（２）を野地板上に配置するようにした金属屋根材の設置構造において、
金属屋根材（２）の棟側端部に、上側に折り返された棟側重合片（１７）が設けられると共に、金属屋根材（２）の軒側端部に、軒側重合片（２３）が設けられ、上段の金属屋根材（２）の軒側重合片（２３）と下段の金属屋根材（２）の棟側重合片（１７）とが上下に重合され、
複数の金属屋根材（２）の上面に太陽電池（４）が夫々載置され、金属屋根材（２）の軒側端部に、金属屋根材（２）に対して太陽電池（４）の軒側への移動を規制するストッパー（８）が設けられていることを特徴とする金属屋根材の設置構造。
【請求項６】
前記太陽電池（４）の棟側端部は金属屋根材（２）の屋根材本体（１１）と前記棟側重合片（１７）との間で嵌合保持され、太陽電池（４）の軒側端部は、前記ストッパー（８）と屋根材本体（１１）との間で嵌合保持されていることを特徴とする請求項５に記載の金属屋根材の設置構造。
【請求項７】
上段の金属屋根材（２）の軒側端部と下段の金属屋根材（２）の棟側端部とを上下に重合させて、多数の金属屋根材（２）を野地板上に配置するようにした金属屋根材（２）の設置構造において、
上段の金属屋根材（２）の軒側端部の下に、下段側の金属屋根材（２）の棟側端部が挿入可能となるように、金属屋根材（２）の軒側端部の下方に、該金属屋根材（２）の軒側端部を、野地板から浮かせる吊り子（５）が設けられていることを特徴とする金属屋根材の設置構造。
【請求項８】
各金属屋根材（２）の下方に、金属屋根材（２）の踏み強度及び断熱性を保ためのベース（３）が設けられ、前記吊り子（５）がベース（３）の軒側端部に固着されていることを特徴とする請求項７に記載の金属屋根材の設置構造。
【請求項９】
ベース（１３）上面の左右方向の端部に樋収納凹部（３０）が水流れ方向に形成され、該樋収納凹部（３０）に縦樋（７）が左右に隣合う金属屋根材（２）の対向端部間に股がるように設けられていることを特徴とする請求項４又は８に記載の金属屋根材の設置構造。
【請求項１０】
前記結合部材（６１）が、重合された軒側重合片（２３）と棟側重合片（１７）とを上下に挟持するように軒側重合片（２３）及び棟側重合片（１７）に対して嵌合可能に構成され、軒側重合片（２３）及び棟側重合片（１７）への結合部材（６１）の嵌合を許容しかつ軒側重合片（２３）及び棟側重合片（１７）からの結合部材（６１）の抜脱を阻止するように、結合部材（６１）を係止する係止手段（８５）が設けられていることを特徴とする請求項１〜３のいずれかに記載の金属屋根材の設置構造。
【請求項１１】
金属屋根材（２）の上面に載置した太陽電池（４）の軒側への移動を規制するストッパー（８）が、金属屋根材（２）の軒側端部に設けられ、該ストパー（８）に係止部（８１）が設けられ、結合部材（６１）に前記ストパー（８）の係止部（８１）に係合する係合部（８４）が設けられ、前記前記ストパー（８）の係止部（８１）と結合部材（６１）の係合部（８４）とにより、前記係止手段（８５）が構成されていること特徴とする請求項１０に記載の金属屋根材の設置構造。
【発明の詳細な説明】
【０００１】
【発明の属する技術分野】
本発明は、野地板上に配置される金属屋根材の設置構造に関する。
【０００２】
【従来の技術】
上段の金属屋根材の軒側端部と下段の金属屋根材の棟側端部とを上下に重合させて、多数の金属屋根材を野地板上に配置するようにした従来の横葺き金属屋根材の設置構造には、例えば図３７に示すように、金属屋根材１０１の棟側端部に、上側に折り返された棟側折り返し片１０２が設けられると共に、金属屋根材１０１の軒側端部に、下側にコ字状又はＵ字状に折り返された軒側折り返し片１０３が設けられ、下段の金属屋根材１０１の棟側折り返し片１０２に、上段の金属屋根材１０１の軒側折り返し片１０３を、引っ掛けて防水と緊結を図るようにしたものがある。
【０００３】
この従来の場合、下段の金属屋根材１０１の棟側折り返し片１０２に、上段の金属屋根材１０１の軒側折り返し片１０３を引っ掛けるためには、上段の金属屋根材１０１を設置する前に下段の金属屋根材１０１を設置しておく必要があり、下段（軒側）の金属屋根材１０１から順次上段側（棟側）に金属屋根材１０１を設置するのが一般である。
従って、金属屋根材１０１を軒側から棟側に向かって設置するため、金属屋根材１０１を設置した後にその金属屋根材１０１を作業者が踏むことになり、設置した金属屋根材１０１を作業者が踏むことによる破損を生じる恐れが大であり、また金属屋根材１０１の設置作業がそれだけ面倒になった。
【０００４】
また、従来では、屋根に太陽電池を設置する場合、金属屋根材の設置と太陽電池の設置とは別個に行われており、例えば多数の金属屋根材を野地板上に配置した後に、設置した金属屋根材上に縦ラックや横ラックを取り付け、これらの縦ラックや横ラック上に太陽電池をボルト等の締結具により固定していた。
従って、金属屋根材を設置した後に太陽電池を設置しなければならず、金属屋根材及び太陽電池の設置作業が非常に面倒であった。また、設置した金属屋根材から太陽電池が浮いた状態になり、太陽電池は金属屋根材に比べて風雨等の影響を受け易くなるし、浮いた状態の太陽電池があるために屋根全体の外観上の体裁も悪くなるという問題もあった。
【０００５】
【発明が解決しようとする課題】
そこで、本発明は、上記問題点に鑑み、金属屋根材を設置する場合、金属屋根材を踏み付けて破損させるおそれが少なくて簡単かつ確実に設置することができようにしたものである。また、太陽電池を屋根に設置する場合、金属屋根材と共に太陽電池を簡単に設置でき、しかも太陽電池の設置によって屋根全体の外観上の体裁が悪くならないようにしたものである。
【０００６】
【課題を解決するための手段】
この技術的課題を解決するための本発明の技術的手段は、上段の金属屋根材２の軒側端部と下段の金属屋根材２の棟側端部とを上下に重合させて、多数の金属屋根材２を野地板上に配置するようにした金属屋根材の設置構造において、
金属屋根材２の棟側端部に、上側に折り返された棟側重合片１７が設けられると共に、金属屋根材２の軒側端部に、軒棟側に突出した軒側重合片２３が設けられ、上段の金属屋根材２の軒側重合片２３と下段の金属屋根材２の棟側重合片１７とが、軒側重合片２３を上にし棟側重合片１７を下にして上下に重合され、その重合された軒側重合片２３と棟側重合片１７とを上下に挟持する結合部材６１が、軒側重合片２３と棟側重合片１７との先端間を軒側から塞ぐように設けられている点にある。
【０００７】
従って、金属屋根材２を設置する場合、上段の金属屋根材２の軒側重合片２３を上にし下段の金属屋根材２の棟側重合片１７を下にしてこれら軒側重合片２３と棟側重合片１７とを単に上下に重合させればよく、金属屋根材２を棟側から軒側に向けて順次設置することができ、従って作業者は棟側から軒側に下りながら棟側を向いて作業を進めることができ、従って、設置した金属屋根材２を作業者が踏み付けることが少なくなり、またそれだけ金属屋根材２の設置も簡単になる。
【０００８】
しかも、重合された軒側重合片２３と棟側重合片１７とを結合部材６１で上下に挟持し、軒側重合片２３と棟側重合片１７との端縁部間を軒側から塞ぐため、結合部材６１によって、上段の金属屋根材２と下段の金属屋根材２との重合部分を確実に防水することができる。また、結合部材６１は上段の金属屋根材２及び下段の金属屋根材２を設置した後に、軒側から重合された軒側重合片２３と棟側重合片１７とに簡単に組付けることができ、この点からも金属屋根材２の設置作業がより簡単になる。
【０００９】
また、本発明の技術的手段は、前記金属屋根材２の軒側端部に、下側に折り返された折り返し片２２が棟側に突出するように設けられると共に、該折り返し片２２の先端側に、前記軒側重合片２３が軒側に突出するように、下側に折り返して形成されている点にある。
従って、上段の金属屋根材２の軒側重合片２３と下段の金属屋根材２の棟側重合片１７との重合部分を結合部材６１を含めて、上段の金属屋根材２の折り返し片２２で上方から覆うことができ、上段の金属屋根材２と下段の金属屋根材２との重合部分の防水を簡単な構成でより確実になすことが可能になる。
【００１０】
また、本発明の技術的手段は、前記結合部材６１は上挟持片６２と下挟持片６３とこれら挟持片６２，６３を連結する連結部６４とをコの字状又はＵ字状に有し、結合部材６１の上挟持片６２が上段側の金属屋根材２の軒側重合片２３の上面に配置され、結合部材６１の下挟持片６３が下段側の金属屋根材２の棟側重合片１７の下面に配置され、結合部材６１の連結部６４が重合された軒側重合片２３と棟側重合片１７との先端間を軒側から塞いでいる点にある。
従って、簡単な構成の結合部材６１で、上段の金属屋根材２の軒側重合片２３と下段の金属屋根材２の棟側重合片１７との重合部分の防水と緊結とを確実になすことができる。
【００１１】
また、本発明の技術的手段は、金属屋根材２と該金属屋根材２にその上面に添うように載置固定された太陽電池４と踏み強度や断熱性を保つためのベース３とを備える屋根材モジュール１が構成され、上段の金属屋根材２の軒側端部と下段の金属屋根材２の棟側端部とを上下に重合させるように、多数の屋根材モジュール１を野地板上に配置するようにした点にある。
従って、金属屋根材２と共に太陽電池４及びベース３をセットとして野地板上に設置することができ、金属屋根材２とは別個に太陽電池４を屋根に設置する必要がなくなり、金属屋根材２、太陽電池４及びベース３の設置作業を非常に楽になし得る。
【００１２】
しかも、太陽電池４は金属屋根材２の上面に添うように載置固定されているため、太陽電池４が金属屋根材２から上方に浮いた状態にはならないため、風雨の影響を受けにくくなり太陽電池４の耐久性も向上するし、また、太陽電池４によって屋根の外観上の体裁を損なうようなこともなくなる。
また、本発明の技術的手段は、上段の金属屋根材２の軒側端部と下段の金属屋根材２の棟側端部とを上下に重合させて、多数の金属屋根材２を野地板上に配置するようにした金属屋根材の設置構造において、
金属屋根材２の棟側端部に、上側に折り返された棟側重合片１７が設けられると共に、金属屋根材２の軒側端部に、軒側重合片２３が設けられ、上段の金属屋根材２の軒側重合片２３と下段の金属屋根材２の棟側重合片１７とが上下に重合され、
複数の金属屋根材２の上面に太陽電池４が夫々載置され、金属屋根材２の軒側端部に、金属屋根材２に対して太陽電池４の軒側への移動を規制するストッパー８が設けられている点にある。
【００１３】
従って、金属屋根材２の設置と同時に太陽電池４を野地板上に設置することができ、従来のように金属屋根材２とは別個に太陽電池４を屋根に設置する必要がなくなり、金属屋根材２及び太陽電池４の設置作業を非常に楽になし得る。
しかも、太陽電池４は金属屋根材２の上面に載置されているので、太陽電池４が金属屋根材２から上方に浮いた状態にはならないため、太陽電池４が風雨等の影響を受けにくくなり太陽電池４の耐久性も向上する。また、太陽電池４によって屋根の外観上の体裁を損なうようなこともなくなる。
【００１４】
また、本発明の技術的手段は、前記太陽電池４の棟側端部は金属屋根材２の屋根材本体１１と前記棟側重合片１７との間で嵌合保持され、太陽電池４の軒側端部は、前記ストッパー８と屋根材本体１１との間で嵌合保持されている点にある。
従って、金属屋根材２の上面に載置した太陽電池４の棟側端部が金属屋根材２から不測に外れたりガタ付いたりしないように、金属屋根材２の棟側重合片１７を利用して強固に保持することができるし、また太陽電池４の軒側端部が、金属屋根材２から不測に外れたりガタ付いたりしないように、ストッパー８により強固に保持することができる。
【００１５】
また、本発明の技術的手段は、上段の金属屋根材２の軒側端部と下段の金属屋根材２の棟側端部とを上下に重合させて、多数の金属屋根材２を野地板上に配置するようにした金属屋根材の設置構造において、
上段の金属屋根材２の軒側端部の下に下段側の金属屋根材２の棟側端部が挿入可能となるように、金属屋根材２の軒側端部の下方に、該金属屋根材２の軒側端部を野地板から浮かせる吊り子５が設けられている点にある。
従って、金属屋根材２を棟側から軒側に向けて順次設置してゆく場合、吊り子５によって金属屋根材２の軒側端部を野地板から浮かせることができ、上段の金属屋根材２の軒側端部を持ち上げて保持しておく必要がなくなり、上段の金属屋根材２の軒側端部の下に下段側の金属屋根材２の棟側端部を簡単に挿入することができる。従って、金属屋根材２を棟側から軒側に向けて簡単に設置してゆくことができる。
【００１６】
また、本発明の技術的手段は、各金属屋根材２の下方に、金属屋根材２の踏み強度及び断熱性を保ためのベース３が設けられ、前記吊り子５がベース３の軒側端部に固着されている点にある。
また、本発明の技術的手段は、ベース３上面の左右方向の端部に樋収納凹部３０が水流れ方向に形成され、樋収納凹部３０に縦樋７が左右に隣合う金属屋根材２の対向端部間に股がるように設けられている点にある。
従って、樋収納凹部３０によってベース３の上面の左右方向の端部に縦樋７を確実に収納保持できると共に、縦樋７によって左右に隣合う金属屋根材２間から漏れる雨水を縦樋７により確実にうけて、ここを確実に防水することができる。
【００１７】
また、本発明の技術的手段は、前記結合部材６１が、重合された軒側重合片２３と棟側重合片１７とを上下に挟持するように軒側重合片２３及び棟側重合片１７に対して嵌合可能に構成され、軒側重合片２３及び棟側重合片１７への結合部材６１の嵌合を許容しかつ軒側重合片２３及び棟側重合片１７からの結合部材６１の抜脱を阻止するように、結合部材６１を係止する係止手段８５が設けられている点にある。
従って、軒側重合片２３及び棟側重合片１７に対して結合部材６１を嵌合することによって、結合部材６１で重合された軒側重合片２３と棟側重合片１７とを上下に簡単に挟持することができ、しかも軒側重合片２３及び棟側重合片１７に対して結合部材６１を嵌合すると、係止手段８５により、軒側重合片２３及び棟側重合片１７から結合部材６１が不測に抜脱しないように係止することができるため、特別に結合部材６１が軒側重合片２３及び棟側重合片１７から抜脱しないように抜け止め操作等をする必要もなくなり、非常に便利である。
【００１８】
また、本発明の技術的手段は、金属屋根材２の上面に載置した太陽電池４の軒側への移動を規制するストッパー８が、金属屋根材２の軒側端部に設けられ、該ストパー８に係止部８１が設けられ、結合部材６１に前記ストパー８に係止部８１に係合する係合部８４が設けられ、前記ストパー８の係止部８１と結合部材６１の係合部８４とにより、前記係止手段８５が構成されている点にある。
従って、太陽電池４の軒側端部が、金属屋根材２から不測に外れたりガタ付いたりしないように、ストッパー８により強固に保持することができる。また、軒側重合片２３及び棟側重合片１７に対して結合部材６１を嵌合すると、ストパー８の係止部８１と結合部材６１の係合部８４との嵌合により、軒側重合片２３及び棟側重合片１７から結合部材６１が不測に抜脱しないように係止することができるため、特別に結合部材６１が軒側重合片２３及び棟側重合片１７から抜脱しないように抜け止め操作等をする必要もなく、結合部材６１を軒側重合片２３及び棟側重合片１７に嵌合した状態に確実に保持することができ、非常に便利である。
【００１９】
【発明の実施の形態】
以下、本発明の実施の形態を図面に基づいて説明する。
図１〜図３において、１は屋根材モジュールで、金属屋根材２とベース３と太陽電池４と左右一対の吊り子５と左右一対の支持板６と縦樋７と左右一対のストッパー８とを備える。この屋根材モジュール１（金属屋根材２）は、図４に示すように野地板９上に多数配置され、例えば上段（棟側）の屋根材モジュール１（金属屋根材２）と下段（軒側）の屋根材モジュール１（金属屋根材２）とは左右方向に１／２モジュールずらされ、多数の屋根材モジュール１（金属屋根材２）は千鳥状に配置される。なお、屋根材モジュール１の配置は千鳥状に限らず、ストレートの配置であっても十分な防水性を確保することが可能である。
【００２０】
図５〜図１０に示すように、各金属屋根材２は平坦状の屋根材本体１１を備え、屋根材本体１１の中央部に端子ボックス挿入窓１２が設けられている。各金属屋根材２の左右両端に、屋根材本体１１から下方に折曲した折曲縁部１３が設けられている。
各金属屋根材２の棟側端部に、屋根材本体１１から上側にコの字状又はＵ字状に折り返された水返し１６が設けられ、水返し１６の上側平坦部が棟側重合片１７とされている。また、各金属屋根材２の棟側端部に、水返し１６から棟側に断面Ｕ字状に延長した横樋１８が設けられている。
【００２１】
金属屋根材２の軒側端部に、係止片２１と折り返し片２２と軒側重合片２３とが設けられている。係止片２１は屋根材本体１１の軒側端部から下方に折曲され、折り返し片２２は係止片２１の下端から棟側に折り返され、軒側重合片２３は、折り返し片２２の先端側から下側に折り返して形成されている。従って、折り返し片２２は、下側に折り返して棟側に突出するように設けられ、軒側重合片２３は棟側に突出しかつ軒側重合片２３の上方が折り返し片２２で覆われている。前記係止片２１及び折り返し片２２の左右方向両端部に、排水孔２４が設けられている。
【００２２】
なお、左右に隣合う金属屋根材２の折曲縁部１３同士は適当な接続手段等によって互いに密着して接続される。
前記ベース３は金属屋根材２の踏み強度や断熱性を保つためのもので、発泡樹脂等で構成され、各金属屋根材２の下方に配置されている。
図１１〜図１７に示すように、ベース３は軒側端部から棟側端部に向けて序々に肉厚が薄くなる楔形に形成されている。ベース３の左右方向中央部の軒側に、金属屋根材２の端子ボックス挿入窓１２に対応して収納凹部２７が設けられている。ベース３の上面に左右一対の係止溝２８がベースの左右両側に夫々形成され、ベース３の下面に係合凹部２９が左右一対設けられている。ベース３上面の左右方向の一端部に樋収納凹部３０が水流れ方向に形成されている。ベース３の棟側に左右方向に間隔をおいて４個の切り欠き凹部３１が設けられ、ベース３の下面に水流れ方向の凹溝３２が切り欠き凹部３１に対応して４個設けられている。
【００２３】
吊り子５は、各ベース３の軒側端部に左右一対ずつ設けられている。各吊り子５は、図１８及び図１９に示すように野地板９に固定するための固定部３５と、ベース３の下面に配置される固着部３６と、固定部３５から立ち上がった前立ち上がり部３７と、固着部３６から立ち上がった後立ち上がり部３８と、前立ち上がり部３７と後立ち上がり部３８との間の受け部３９とを有し、受け部３９にネジ孔４０が左右一対設けられている。
支持板６は、各ベース３の上面に左右一対ずつ設けられている。各支持板６は、図２０〜図２３に示すように、支持板６の棟側端部に、下側にＬの字状に折れ曲がった係合片４３と、上側にＬ字状に切り起こし形成した係止片４４とが設けられ、支持板６の軒側端部に、下方に折れ曲がった折曲片４５が設けられ、この折曲片４５にネジ孔４６が設けられ、支持板６の軒側中途部に取付孔４７が前記ネジ孔４０に対応して左右一対設けられている。支持板６の左右両端に、下方に折曲した折曲縁部４８が設けられている。
【００２４】
なお、支持板６は、図２２及び図２３に示す構成に代えて図２４及び図２５に示すように、支持板６の棟側端部に、下側にＬの字状に折れ曲がった係合片４３を左右方向両側に一対形成すると共に、上側にＬ字状に折れ曲がった係止片４４を左右方向の中央部に形成するようにしてもよい。
左右一対の支持板６の折曲縁部４８がベース３の係止溝２８に挿入係合されて、各支持板６は、ベース３の上面に添うように配置されると共に、各支持板６の軒側中途部が吊り子５の受け部３９上に配置され、ネジ孔４０に螺合する止めネジ５０により左右一対の支持板６の軒側中途部が左右一対の吊り子５に対して夫々締め付け固定され、これにより左右一対の支持板６と左右一対の吊り子５との間でベース３を挟持し、ベース３、左右一対の支持板６及び左右一対の吊り子５が一体となるように組み立てられている。
【００２５】
太陽電池４は、ガラス５１に太陽電池セル５２を取り付けてなり、下面の中央部に端子ボックス５３が下方突出されている。
なお、この太陽電池４は、野地板９上に配置した多数の屋根材モジュール１（金属屋根材２）のうちの一部の複数の屋根材モジュール１（金属屋根材２）に設けられている。太陽電池４を設けない屋根材モジュール１の場合は、金属屋根材２には端子ボックス挿入窓１２は不要となり、金属屋根材２の端子ボックス挿入窓１２は省略される。また、ベース３の収納凹部２７も省略してもよい。
【００２６】
太陽電池４の端子ボックス５３が端子ボックス挿入窓１２に挿入されて、ベース２３の収納凹部２７に収納され、この状態で太陽電池４は金属屋根材２の屋根材本体１１の上面に夫々載置されて、屋根材本体１１の上面に接着されている。金属屋根材２の軒側端部に、金属屋根材２に対して太陽電池４の軒側への移動を規制するストッパ−８が左右一対設けられている。前記太陽電池４の棟側端部は金属屋根材２の屋根材本体１１と前記棟側重合片１７との間で嵌合保持され、太陽電池４の軒側端部は、前記ストッパー８と屋根材本体１１との間で嵌合保持されている。
【００２７】
上記の如く太陽電池４を金属屋根材２の屋根材本体１１の上面に接着した理由は、取り付け強度の向上、振動防止、金属屋根材２に設けた端子ボックス挿入窓１２等への浸水防止のためである。また、ストッパー８を設けたのは、太陽電池４を接着するための接着剤の経年劣化や、防火性試験の際の太陽電池４の脱落防止を図るためである。
前記ストッパー８は、図１に示すように取付孔を有する取付部５９と押さえ部６０と取付部５９の下端から軒側に折曲した折曲部５９ａとを有し、折曲部５９ａは左右に二分割されている。ストッパー８は、ネジ孔４６に螺合する止めネジ５４によって金属屋根材２の係止片２１と共に支持板６の折曲片４５に締め付け固定され、これにより金属屋根材２の軒側端部が支持板６に固定されている。
【００２８】
また、吊り子５の受け部３９上に支持板６を介して金属屋根材２の軒側端部が載せられ、これにより吊り子５で金属屋根材２の軒側端部を野地板９から浮かせて、金属屋根材２を野地板９上に配置する際に、上段の金属屋根材２の軒側端部を持ち上げることなく、該上段の金属屋根材２の軒側端部の下に、下段側の金属屋根材２の棟側端部が挿入できるようになっている。金属屋根材２の棟側端部は、横樋１８が係止片４４に係合されて、係止片４４により金属屋根材２の棟側端部が支持板６乃至ベース３から上方に浮かないように規制されている。
【００２９】
縦樋７は、図２６〜図２８に示すように、左右両端に上方に折曲された一対の立ち上がり壁５６が設けられ、縦樋７の棟側端部に上方にＬ字状に折曲された水返し５７が設けられ、縦樋７の下面には剥離紙付の両面接着テープ５８が添着されている。この縦樋７は各屋根材モジュール１のベース２３の樋収納凹部３０に嵌合保持され、両面接着テープ５８により樋収納凹部３０の底面に接着固定されている。ベース３の樋収納凹部３０は金属屋根材２の左右方向外端よりも左右方向外方に突出され、図１０に鎖線で示すように、縦樋７の左右方向の外端部は金属屋根材２の左右方向外端よりも左右方向外方に突出されて、左右に隣合う屋根材モジュール１の金属屋根材２の対向端部の下方に位置し、縦樋７が左右に隣合う金属屋根材２の対向端部間に股がるようになっている。また、左右に隣合う金属屋根材２の折曲縁部１３が上側から縦樋７内に挿入されている。
【００３０】
そして、縦樋７の軒側端部は排水孔２４に臨まされており、縦樋７に入った雨水は縦樋７から排水孔２４を通って下段の太陽電池４又は金属屋根材２上に排出されるようになっている。
図１に示すように上段の屋根材モジュール１の軒側端部の下方に、下段の屋根材モジュール１の棟側端部が挿入され、これにより下段の屋根材モジュール１の支持板６の係合片４３及び係止片４４が上段の屋根材モジュール１の吊り子５の前立ち上がり部３７に接当され、上段の金属屋根材２の軒側重合片２３と下段の金属屋根材２の棟側重合片１７とが、軒側重合片２３を上にし棟側重合片１７を下にして上下に重合されている。
【００３１】
重合された上段の金属屋根材２の軒側重合片２３と下段の金属屋根材２の棟側重合片１７とは結合部材６１によって上下に挟持されている。この結合部材６１は、図１に示すように上挟持片６２と下挟持片６３とこれら挟持片６２，６３を連結する連結部６４とをコの字状又はＵ字状に有し、これにより結合部材６１が、重合された軒側重合片２３と棟側重合片１７とを上下に挟持するように軒側重合片２３及び棟側重合片１７に対して嵌合可能に構成され、結合部材６１を軒側重合片２３及び棟側重合片１７に対して嵌合することによって、結合部材６１の上挟持片６２が上段側の金属屋根材２の軒側重合片２３の上面に配置され、結合部材６１の下挟持片６３が下段側の金属屋根材２の棟側重合片１７の下面に配置され、結合部材６１の連結部６４が重合された軒側重合片２３と棟側重合片１７との先端間を軒側から塞ぐようになっている。
【００３２】
そして、上段の金属屋根材２の折り返し片２２が、上段の金属屋根材２の軒側重合片２３と下段の金属屋根材２の棟側重合片１７との重合部分を結合部材６１を含めて、上方から覆っている。
なお、左右に隣合う結合部材６１の対向端部同士は適当な接続手段によって互いに密着して接続される。この場合、左右に隣合う金属屋根材２同士の接続部と左右に隣合う結合部材６１同士の接続部との位置を互いにずらすようにすれば、防水性はさらによくなり、また上下左右の金属屋根材２の締結も更に強固なものになし得る。
【００３３】
上記実施の形態によれば、屋根材モジュール１（金属屋根材２及び太陽電池４）を設置する場合、左右一対の支持板６の折曲縁部４８をベース３の係止溝２８に挿入係合して、各支持板６をベース３の上面に添って配置すると共に、支持板６の係合片４３をベース３下面の係合凹部２９に係合して、ベース３の棟側でベス３と支持板６とを一体化する。また、止めネジ５０により左右一対の支持板６を左右一対の吊り子５に対して夫々締め付け固定し、これにより左右一対の支持板６と左右一対の吊り子５との間でベース３を挟持し、これらを一体のものに組み立てておく。また、太陽電池４を屋根材本体１１の上面に接着し、ストッパー８を、止めネジ５４によって金属屋根材２の係止片２１と共に支持板６の折曲片４５に締め付け固定し、これによりストッパ−８で太陽電池４の軒側への移動を規制し、金属屋根材２の軒側端部を支持板６に固定し、横樋１８を係止片４４に係合して、金属屋根材２の棟側端部を支持板６乃至ベース３から上方に浮かないように規制しておく。また、縦樋７をベース２３の樋収納凹部３０に嵌合して、両面接着テープ５８により樋収納凹部３０の底面に接着固定する。これにより、金属屋根材２、ベース３、太陽電池４、縦樋７等を備える屋根材モジュール１を予め組み立てておく。
【００３４】
そして、多数の屋根材モジュール１（金属屋根材２）を葺く場合、作業者は棟側を向いた状態で、野地板９上に屋根材モジュール１（金属屋根材２）を棟側から順次配置し、吊り子５の固定部３５の取付孔を利用して、釘６６で吊り子５の固定部３５を野地板９及び垂木６７に固定する。
野地板９上に固定した上段（棟側）の屋根材モジュール１（金属屋根材２）に対して下段（軒側）の屋根材モジュール１（金属屋根材２）を左右方向に１／２モジュールずらした状態で、上段の屋根材モジュール１の軒側端部の下方に、下段の屋根材モジュール１の棟側端部が挿入し、これにより下段の屋根材モジュール１の支持板６の係合片４３及び係止片４４を上段の屋根材モジュール１の吊り子５の前立ち上がり部３７に接当し、上段の金属屋根材２の軒側重合片２３と下段の金属屋根材２の棟側重合片１７とを、軒側重合片２３を上にし棟側重合片１７を下にして上下に重合する。
【００３５】
重合された上段の金属屋根材２の軒側重合片２３と下段の金属屋根材２の棟側重合片１７とに結合部材６１を嵌合して、これら軒側重合片２３と棟側重合片１７とに結合部材６１によって上下に挟持し、結合部材６１の連結部５８で重合された軒側重合片２３と棟側重合片１７との先端間を軒側から塞ぐ。以下、上記屋根材モジュール１の固定作業を棟側から軒側に向けて順次繰り返せばよい。
上記の如く屋根材モジュール１を設置する際、ストッパー８の下端側に折曲部５９ａを有しており、結合部材６１を取り付けた後、折曲部５９ａを金槌の柄等で叩いて図１に鎖線で示す如く真っ直ぐに延ばすことにより、ストッパー８によって結合部材６１の脱落を防止できる。また、折曲部５９ａが左右に二分割されているため、ストッパー８の中央部に、左右に隣合う結合部材６１の継ぎ目をもってくるようにして、隣合う結合部材６１をここで止めることができるようになっている。また、折曲部５９ａが左右に二分割されることにより上記の如く金槌で延ばす際に曲げやすくなっている。また、一方の結合部材６１を取り外すためには、折曲部５９ａのうち二分割している一方のみを曲げればよいことになる。また、ストッパー８の上端部には押さえ部６０があるため、太陽電池４の軒側端部を機械的に嵌合固定することができる。
【００３６】
また、以上の設置構造になっているので、止めネジ５４を外してストッパー８を取り外し、上下の結合部材６１を取り外してから、金属屋根材２を軒（水下）側にスライドさせると、吊り子５、ベース３、縦樋７及び支持板６を残して金属屋根材２を簡単に取り外すことができ、また逆の手順で金属屋根材２を取り付けることも簡単にできる。そして、太陽電池４を組付けた金属屋根材２の場合は、メンテナンス時に任意の一枚の太陽電池４を簡単に着脱することも可能となる。図２９及び３０は他の実施の形態を示し、金属屋根材２の上面に載置した太陽電池４の軒側への移動を規制するストッパー８は、取付孔を有する取付部５９と押さえ部６０と取付部５９の下端から棟側に向けて斜め下方に突出した係止部８１とを有している。ストッパー８は、前記実施の形態の場合と同様にネジ孔４６に螺合する止めネジ５４によって金属屋根材２の係止片２１と共に支持板６の折曲片４５に締め付け固定され、これにより金属屋根材２の軒側端部が支持板６に固定されている。
【００３７】
重合された上段の金属屋根材２の軒側重合片２３と下段の金属屋根材２の棟側重合片１７とは上下に挟持する結合部材６１は、前記実施の形態の場合と同様に上挟持片６２と下挟持片６３とこれら挟持片６２，６３を連結する連結部６４とをコの字状又はＵ字状に有し、これにより結合部材６１が、重合された軒側重合片２３と棟側重合片１７とを上下に挟持するように軒側重合片２３及び棟側重合片１７に対して嵌合可能に構成されている。また、結合部材６１は、上挟持片６２の棟側端部から上側に折り返した係合片８３を有し、係合片８３の端部に、上挟持片６２から上側に徐々に大きく離間するように傾斜した係合部８４が形成されている。
【００３８】
従って、図３０に示す如く結合部材６１を矢印方向に移動して、重合された軒側重合片２３と棟側重合片１７とを上下に挟持するように軒側重合片２３及び棟側重合片１７に対して結合部材６１を嵌合してゆくと、係合部８４が下側に弾性変形して係止部８１を乗り越え、係止部８１を乗り越えた後に図２９に示すように係合部８４が係止部８１に棟側から係合し、これにより軒側重合片２３及び棟側重合片１７からの結合部材６１の抜脱を阻止するようになっている。即ち、前記ストパー８の係止部８１と結合部材６１の係合部８４とにより、軒側重合片２３及び棟側重合片１７への結合部材６１の嵌合を許容しかつ軒側重合片２３及び棟側重合片１７からの結合部材６１の抜脱を阻止するように、係合部材６１を係止する係止手段８５が構成されている。
【００３９】
従って、軒側重合片２３及び棟側重合片１７に対して結合部材６１を嵌合することによって、結合部材６１で重合された軒側重合片２３と棟側重合片１７とを上下に簡単に挟持することができ、しかも軒側重合片２３及び棟側重合片１７に対して結合部材６１を嵌合すると、係止手段８５により、軒側重合片２３及び棟側重合片１７から結合部材６１が不測に抜脱しないように係止することができるため、特別に結合部材６１が軒側重合片２３及び棟側重合片１７から抜脱しないように抜け止め操作等をする必要もなくなり、非常に便利である。
【００４０】
その他の点は前記実施の形態の場合と同様の構成である。
図３１〜図３４は他の実施の形態を示し、前記支持板６を省略し、左右一対の吊り子５をベース３の軒側端面に固着すると共に、ベース３の棟側端面に左右一対の係止金具７１を吊り子５に対応して上方突設している。
そして、吊り子５は、野地板９に固定するための固定部３５と、固定部３５の端部から上方に折り曲げられた固着部３６と、固着部３６の上端から軒側に折り曲げられた受け部３９と、受け部３９の先端から下方に折り曲げられた係止部７２とを有し、係止部７２にネジ孔７３が形成され、吊り子５の固着部３６はベース３の軒側端面に固着され、受け部３９上に金属屋根材２の軒側端部が載せられ、これにより吊り子５で金属屋根材２の軒側端部を野地板９から浮かせて、金属屋根材２を野地板９上に配置する際に、上段の金属屋根材２の軒側端部を持ち上げることなく、該上段の金属屋根材２の軒側端部の下に、下段側の金属屋根材２の棟側端部が挿入可能となるようにしている。そして、ネジ孔７３に螺合する止めネジ５４によってストッパー８と金属屋根材２の係止片４４とを吊り子５の係止部７２に締め付け固定され、これにより金属屋根材２の棟側端部が吊り子５に固定され、ストッパー８と屋根材本体１１との間で太陽電池４の軒側端部が嵌合保持されている。
【００４１】
金属屋根材２の棟側端部は、横樋１８が前記係止金具７１に係合されて、係止金具７１により金属屋根材２の棟側端部が支持板６乃至ベース３から上方に浮かないように規制されている。
その他の点は前記実施の形態と同様の構成である。
なお、前記実施の形態によれば、金属屋根材２の軒側端部に、下側に折り返された折り返し片２２が棟側に突出するように設けられると共に、該折り返し片２２の先端側に、前記軒側重合片２３を棟側に突出するように、下側に折り返して形成されているが、これに代え、図３５に示すように、金属屋根材２の軒側端部の中途部から軒側重合片２３が棟側に突出するように下側に形成し、この軒側重合片２３と下段の金属屋根材２の棟側重合片１７とを、上下に重合し、その重合した軒側重合片２３と棟側重合片１７とを結合部材６１で上下に挟持するようにしてもよい。
【００４２】
また、図３６に示すように、金属屋根材２の軒側端部に軒側重合片２３を下側に段上に折曲して棟側に突出するように形成し、この軒側重合片２３と下段の金属屋根材２の棟側重合片１７とを上下に重合し、その重合した軒側重合片２３と棟側重合片１７とを結合部材６１で上下に挟持するようにしてもよい。
【００４３】
【発明の効果】
本発明によれば、金属屋根材２を踏み付けて破損させるおそれが少なくて簡単かつ確実に設置することができる。また、太陽電池４を屋根に設置する場合、金属屋根材２と共に太陽電池４を簡単に設置でき、しかも太陽電池４の設置によって屋根全体の外観上の体裁が悪くならない。
【図面の簡単な説明】
【図１】本発明の一実施の形態を示す断面図である。
【図２】同分解斜視図である。
【図３】同構成部材の位置関係を示す平面図である。
【図４】同野地板上に配置した金属屋根材の配置状態を示す平面図である。
【図５】同金属屋根材の平面図である。
【図６】同金属屋根材の正面図である。
【図７】同金属屋根材の側面図である。
【図８】同金属屋根材の正面図である。
【図９】同図８のＡ−Ａ線断面図である。
【図１０】同図５のＢ−Ｂ線断面図である。
【図１１】同ベースの平面図である。
【図１２】同ベースの正面図である。
【図１３】同図１１のＣ−Ｃ線矢視図である。
【図１４】同図１１のＤ−Ｄ線矢視図である。
【図１５】同図１１のＥ−Ｅ線断面図である。
【図１６】同図１１のＦ−Ｆ線断面図である。
【図１７】同図１１のＧ−Ｇ線断面図である。
【図１８】同吊り子の平面図である。
【図１９】同吊り子の側面断面図である。
【図２０】同支持板の平面図である。
【図２１】同支持板の側面断面図である。
【図２２】同支持板背面図である。
【図２３】同支持板の正面図である。
【図２４】同支持板の変形例を示す背面図である。
【図２５】同支持板の変形例を示す平面図である。
【図２６】同縦樋の平面図である。
【図２７】同縦樋の側面図である。
【図２８】同縦樋の正面図である。
【図２９】他の実施形態を示す断面図である。
【図３０】同結合部材を装着する前の状態を示す断面図である。
【図３１】他の実施形態を示す斜視図である。
【図３２】同分解斜視図である。
【図３３】同側面断面図である。
【図３４】同要部側面断面図である。
【図３５】他の実施形態を示す概略側面図である。
【図３６】他の実施形態を示す概略側面図である。
【図３７】従来例を示す概略側面図である。
【符号の説明】
２        金属屋根材
３        ベース
４        太陽電池
５        吊り子
８        ストッパー
１７        棟側重合片
２２        折り返し片
２３        軒側重合片
３０        樋収納凹部
６１        結合部材
６２        上挟持片
６３        下挟持片
６４        連結部
８１        係止部
８４        係合部
８５        係止手段
【図１】
0003590287.tif 000002
【図２】
0003590287.tif 000003
【図３】
0003590287.tif 000004
【図４】
0003590287.tif 000005
【図５】
0003590287.tif 000006
【図６】
0003590287.tif 000007
【図７】
0003590287.tif 000008
【図８】
0003590287.tif 000009
【図９】
0003590287.tif 000010
【図１０】
0003590287.tif 000011
【図１１】
0003590287.tif 000012
【図１２】
0003590287.tif 000013
【図１３】
0003590287.tif 000014
【図１４】
0003590287.tif 000015
【図１５】
0003590287.tif 000016
【図１６】
0003590287.tif 000017
【図１７】
0003590287.tif 000018
【図１８】
0003590287.tif 000019
【図１９】
0003590287.tif 000020
【図２０】
0003590287.tif 000021
【図２１】
0003590287.tif 000022
【図２２】
0003590287.tif 000023
【図２３】
0003590287.tif 000024
【図２４】
0003590287.tif 000025
【図２５】
0003590287.tif 000026
【図２６】
0003590287.tif 000027
【図２７】
0003590287.tif 000028
【図２８】
0003590287.tif 000029
【図２９】
0003590287.tif 000030
【図３０】
0003590287.tif 000031
【図３１】
0003590287.tif 000032
【図３２】
0003590287.tif 000033
【図３３】
0003590287.tif 000034
【図３４】
0003590287.tif 000035
【図３５】
0003590287.tif 000036
【図３６】
0003590287.tif 000037
【図３７】
0003590287.tif 000038